(57)【要約】【課題】自動車のウインドガラスを覆う覆い幕であって、ウインドガラスに雪や霜が付着するのを確実に防止し、しかもその覆い幕の車体への取り付けを簡単、容易に行なうことができるようにした。【解決手段】ウインドのウインドモール４よりも一回り大きく形成される、柔軟性の雪除け幕本体１と、その裏面の外周面の全周にわたって設けられる可撓性のマグネットシート２ａ…とよりなり、雪除け幕本体１は、マグネットシート２ａ…を、ウインドモール４の外側に隣接する車体外板８に取脱可能に密接して取り付けることにより、ウインドガラス３を覆うようにしてウインド上に固定され、雪や霜が付着するのを防止するようにした。【選択図】  図１
2004276709.tif 000002
【特許請求の範囲】
【請求項１】
車両のウインドガラス（３）を覆うウインド覆い幕であって、
前記ウインドガラス（３）の外周縁を囲むウインドモール（４）よりも一回り大きく形成される柔軟性の幕本体（１）と、その幕本体（１）の裏面の外周面の全周にわたって設けられる可撓性の取付部材（２）と、よりなり、
前記柔軟性の幕本体（１）は、雪除け幕本体であり、前記取付部材（２）を介して車体外板（８）もしくはウインドガラス（３）に取脱可能に取り付けられることにより、ウインドガラス（３）を覆い、そこに、雪や霜が付着するのを防止するようにしたことを特徴とする、車両のウインド覆い幕。
【請求項２】
車両のウインドガラス（３）を覆うウインド覆い幕であって、
前記ウインドガラス（３）の外周面を囲むウインドモール（４）よりも一回り大きく形成される柔軟性の幕本体（１）と、その幕本体（１）の裏面の外周面の全周にわたって設けられる可撓性の取付部材（２）と、よりなり、
前記柔軟性の幕本体（１）は、遮光幕本体であり、前記取付部材（２）を介して車体外板（８）もしくはウインドガラス（３）に取脱可能に取り付けられることにより、ウインドガラス（３）を覆い、該ウインドガラス（３）を通して太陽光が車室内に入射するのを防止するようにしたことを特徴とする、車両のウインド覆い幕。
【請求項３】
前記柔軟性の幕本体（１）は、防水性および断熱性を有していることを特徴とする、前記請求項１または２記載の車両のウインド覆い幕。
【発明の詳細な説明】
【０００１】
【発明の属する技術分野】
本発明は、車両、特に自動車のフロントウインド、リヤウインドなどのウインドを取脱可能に覆うことができるようにした、車両のウインド覆い幕に関するものである。
【０００２】
【従来の技術】
従来、冬期において、車両のフロントウインド、リヤウインドなどのウインドガラスに付着、堆積した雪や霜を取り除くのに、そのウインドガラスに湯を掛けて融雪、融霜したり、あるいは、その雪や霜を掻き落としたり、また、そのウインドガラスに雪や霜が付着するのを防止するため、そのウインドガラスをシートにより覆うようにすることが一般に行なわれている。
【０００３】
また、夏期において、車室内にウインドガラスの内面に対面するように遮光板を設けて、直射日光を遮光して、車室内が異常に高温になるのを防止することが一般に行なわれている。
【０００４】
【発明が解決しようとする課題】
ところが、ウインドガラスに湯を掛けて融雪や融霜をしたり、ウインドガラスに付着する雪や霜を掻き落としたりする作業は、人手に依存するので、その作業が面倒で厄介であるばかりでなく、ウインドガラスを傷付けたり、ワイパーを損傷したりする弊害があり、また、ウインドガラスに雪や霜が付着するのを防止するため、ウインドにシートを被せても、そのシートが風で吹き飛ばされてしまい、ウインドガラスを確実に覆うことができないという不都合がある。
【０００５】
また、太陽光を遮光すべく、車室内においてウインドガラスの内面に遮光板を設ける作業は、人が中腰のまま、狭い車室内に入って行なう必要があるため、面倒で厄介であり、しかもウインドガラスを内側から完全に覆うことができないため、遮光機能が劣るという不都合がある。
【０００６】
本発明は、かかる実情に鑑みてなされたものであり、車両のウインドガラスをその全域にわたり覆うことができるようにして、該ウインドガラスに雪や霜が付着するのを確実に防止でき、また、ウインドガラスを通して車室内に入る太陽光を確実に遮光することができ、しかも覆い幕の車体への取り付けを簡単、容易に行なうことができるようにした、新規な車両のウインド覆い幕を提供することを目的とする。
【０００７】
【課題を解決するための手段】
前記目的を達成するために、請求項１記載の発明は、車両のウインドガラスを覆うウインド覆い幕であって、前記ウインドガラスの外周縁を囲むウインドモールよりも一回り大きく形成される柔軟性の幕本体と、その幕本体の裏面の外周面の全周にわたって設けられる可撓性の取付部材とよりなり、前記柔軟性の幕本体は、雪除け幕本体であり、前記取付部材を介して車体外板もしくはウインドガラスに取脱可能に取り付けられることにより、ウインドガラスを覆い、そこに、雪や霜が付着するのを防止するようにしたことを特徴としており、かかる特徴によれば、幕本体はウインドガラスに馴染むように、その全域を確実に覆うことができ、かつその幕本体とウインドガラスとの間に雪や霜が侵入するのを確実に防止することができ、雪除け、霜除け効果を高めることができ、また、覆い幕のウインドへの取り付けにより、車両の車体外板やウインドガラスを傷付ける心配がない。
【０００８】
また、前記目的を達成するために、請求項２記載の発明は、車両のウインドガラスを覆うウインド覆い幕であって、前記ウインドガラスの外周面を囲むウインドモールよりも一回り大きく形成される柔軟性の幕本体と、その柔軟性の幕本体の裏面の外周面の全周にわたって設けられる可撓性の取付部材とよりなり、前記柔軟性の幕本体は、遮光幕本体であり、前記取付部材を介して車体外板もしくはウインドガラスに取脱可能に取り付けられることにより、ウインドガラスを覆い、該ウインドガラスを通して太陽光が車室内に入射するのを防止するようにしたことを特徴としており、かかる特徴によれば、幕本体はウインドガラスに馴染むように、その全域を確実に覆うことができ、かつその幕本体とウインドガラスとの間に太陽光が入射するのを確実に防止することができ、遮光効果を高めることができる、また、覆い幕のウインドへの取り付けにより、車体外板やウインドガラスを傷付ける心配がない。
【０００９】
さらに、前記目的達成のため、請求項３記載の発明は、前記請求項１または２記載のものにおいて、前記柔軟性の幕本体は、防水性および断熱性を有していることを特徴としており、かかる特徴によれば、前記幕本体による雪除け、霜除け、あるいは遮光効果を一層高めることができる。
【００１０】
【発明の実施例の形態】
以下、本発明の実施の形態を、添付図面に示した本発明の実施例に基づいて説明する。
【００１１】
まず、図１〜４を参照して、本発明車両のウインド覆い幕を、そのウインドの雪除け幕として利用した場合の第１実施例について説明する。
【００１２】
図１は、本発明雪除け幕を使用した自動車の斜視図、図２は、図１の２線矢視図、図３は、図２の３−３線に沿う断面図、図４は、雪除け幕の裏面図である。
【００１３】
図１，４に示すように、本発明にかかる車両のウインド覆い幕、すなわち雪除け幕は、その主体部分を構成する幕本体１と、その幕本体１をフロントウインドＷｆあるいはリヤウインドＷｒに取脱自在に取り付ける取付部材２とより構成される。
【００１４】
前記幕本体１は、柔軟性、断熱性．防水性を有するシート、たとえばビニールシートなどの軟質合成樹脂製シート、ゴムシート、布帛シートなどにより構成されていて、フロントウインドＷｆ、リヤウインドＷｒなどのウインドの曲面に馴染むように自由に撓曲できるようにされており、またこの幕本体１の形状は、自動車のフロントウインドＷｆあるいはリヤウインドＷｒと略同じで台形状をなしており、またその大きさはフロントウインドＷｆあるいはリヤウインドＷｒよりも一回り大きい。
【００１５】
また、前記取付部材２は、この実施例では複数のマグネットシート片２ａ…より構成されており、これらのマグネットシート片２ａ…は、図４に示すように、前記幕本体１の裏面の外周面に、その全周にわたり、間隔をあけて固着されている。マグネットシート片２ａ…は、可撓性を有しているので、これらを幕本体１に取り付けても、該幕本体１の柔軟性が損なわれるようなことがない。
【００１６】
前述のように構成される、ウインド覆い幕としての雪除け幕は、図１，２に示すように、自動車のフロントウインドＷｆおよびリヤウインドＷｒに取り付けられる。すなわち、雪除け幕は、その幕本体１の裏面側をフロントウインドＷｆあるいはリヤウインドＷｒに、それらを覆うようにそれぞれ対面させ、複数のマグネットシート片２ａ…を、フロントウインドＷｆおよびリヤウインドＷｒのウインドガラス３，３を取り囲むウインドモール４の外側に隣接した車体外板８に吸着させる。これにより、フロントウインドＷｆおよびリヤウインドＷｒは、その全域を雪除け幕により覆うことができる。そして、雪除け幕は、複数のマグネットシート片２ａ…により、車体外板８の曲面に馴染むように撓曲して、それらの間に隙間をつくることなく、該車体外板８にしっかりと固定されるので、雪除け幕と、フロントウインドＷｆおよびリヤウインドＷｒとの間に雪が侵入することがなく、また雪除け幕が風により、めくれたり、吹き飛ばされたりすることがない。また、この雪除け幕により、ウインドガラス３や車体外板８を傷付けることがない。
【００１７】
降雪時には、図３実線に示すように、雪は雪除け幕上に付着、堆積されるが、雪除け幕は、複数のマグネットシート片２ａ…を、車体外板８を傷付けることなく、そこから離することにより、車体外板８より容易に剥がすことができる。したがって、フロントウインドＷｆおよびリヤウインドＷｒのウインドガラス３，３上の積雪を、雪除け幕と共に除去することができる。また幕本体１は、断熱性を有していることから、フロントウインドＷｆおよびリヤウインドＷｒと幕本体１との間に溜まった水が凍結するのを極力抑えることができ、たとえば、フロントウインドＷｆのワイパーが凍結して作動不良になることがない。
【００１８】
また、雪除け幕は、雪の外に、霜除け幕としても機能し、フロントウインドＷｆおよびリヤウインドＷｒのウインドガラス３に霜が付着、堆積するのを防止することができる。
【００１９】
さらに、図示しないが、雪除け幕は、自動車のサイドウインドＷｓにも適用することができる。また、本発明の第１実施例の、雪除け幕の幕本体１は一層のシートにより形成されているが、この幕本体１を複数のシート、たとえば断熱シートと防水シートとをラミネートして形成してもよい。
【００２０】
つぎに、図５を参照して本発明の第２実施例について説明する。
【００２１】
この第２実施例は、本発明車両のウインド覆い幕を、遮光幕として用いた場合であり、図５は、自動車のフロントウインドＷｆに、この遮光幕を実施した場合である。
【００２２】
遮光幕は、幕本体１と、取付部材２とより構成され、前記幕本体１が、遮光性材料により形成される以外は、前記第１実施例のものとその構成は同じである。この遮光性の幕本体１を、図５に示すように、前記第１実施例と同じく車体外板８に、複数のマグネットシート２ａ…により取り付ければ、夏の強い直射日光を反射させて、遮光することができ、車室内温度の異常上昇を防止することができる。この場合、遮光性の幕本体１は、複数のマグネットシート片２ａ…により、フロントウインドＷｆに密着状態で固定され、風でめくれあがったり、吹き飛ばされることがないので、直射日光は、フロントウインドＷｆと、幕本体１との間に入射することが殆どなく、遮光効果を高めることができる。また、遮光性幕本体１は、車体外板８に固定されることから、車室内に設ける従来の遮光板に比べてその取り付けが簡単、容易である。
【００２３】
図６には、雪除け幕あるいは遮光幕として用いられる、本発明にかかる車両のウインド覆い幕の第１の変型例が示される。
【００２４】
図６は、ウインド覆い幕の、第１の変形例の裏面図であり、この第１の変形例は、幕本体１の裏面の外周面に、その全周にわたり連続した、取付部材２としてのマグネットシート２ｂを取り付けた点で前記第１実施例のものと相違している。この帯状のマグネットシート２ｂは、可撓性を有していて、車体外板８を傷付けることがなく、該車体外板８に幕本体１を取脱可能に取り付けることでき、また、マグネットシート２ｂにより幕本体１の柔軟性が損なわれることがない。
【００２５】
図７には、雪除け幕あるいは遮光幕として用いられる、本発明にかかる車両のウインド覆い幕の第２の変型例が示される。
【００２６】
図７は、ウインド覆い幕の、第２の変形例の裏面図であり、この第２の変形例は、幕本体１の裏面の外周面に沿って、その全周にわたり、取付部材２としての複数の吸盤２ｃ…を間隔をあけて取り付けた点で、前記第１実施例のものと相違している。これらの吸盤２ｃ…は、車体外板８を傷付けることがなく、該車体外板８に幕本体１を吸着、すなわち取り付けることができ、また、これらの吸盤２ｃ…によって幕本体１の柔軟性が損なわれることがない。
【００２７】
また、この第２変形例では、複数の吸盤２Ｃ…は、車体外板８に取り付ける代わりにウインドガラス３に取り付けることも可能であり、これらの吸盤２は、ウインドガラス３を傷付けることがない。
【００２８】
以上、本発明の実施例について説明したが、本発明はその実施例に限定されることなく、本発明の範囲内で種々の実施例が可能である。
【００２９】
たとえば、前記実施例では、本発明ウインド覆い幕を、自動車のフロントウインドおよびリヤウインドに取り付けた場合について説明したが、これを自動車のサイドウインドなど他のウインドに取り付けることができることは勿論である。
【００３０】
【発明の効果】
以上のように、請求項１記載の発明によれば、車両のウインドガラスを覆うウインド覆い幕であって、前記ウインドガラスの外周縁を囲むウインドモールよりも一回り大きく形成される柔軟性の幕本体と、その柔軟性の幕本体の裏面の外周面の全周にわたって設けられる取付部材とよりなり、前記柔軟性の幕本体は、雪除け幕本体であり、前記取付部材を介して車体外板もしくはウインドガラスに取脱可能に取り付けられることにより、ウインドガラスに、雪や霜が付着するのを防止するようにしたので、幕本体はウインドガラスに馴染むように、その全域を確実に覆うことができ、かつその幕本体とウインドガラスとの間に雪や霜が侵入するのを確実に防止することができ、雪除け、霜除け効果を高めることができる、また、覆い幕のウインドへの取り付けにより、車両の車体外板やウインドガラスを傷付ける心配がない。
【００３１】
また、請求項２記載の発明によれば、車両のウインドガラスを覆うウインド覆い幕であって、前記ウインドガラスの外周面を囲むウインドモールよりも一回り大きく形成される柔軟性の幕本体と、その柔軟性の幕本体の裏面の外周面の全周にわたって設けられる取付部材とよりなり、前記柔軟性の幕本体は、遮光幕本体であり、前記取付部材を介して車体外板もしくはウインドガラスに取脱可能に取り付けられることにより、ウインドガラスを覆い、該ウインドガラスを通して太陽光が車室内に入射するのを防止するようにしたので、幕本体はウインドガラスに馴染むように、その全域を確実に覆うことができ、かつその幕本体とウインドガラスとの間に太陽光が入射するのを確実に防止することができ、遮光効果を高めることができ、また、覆い幕のウインドへの取り付けにより、車両の車体外板やウインドガラスを傷付ける心配がない。
【００３２】
さらに、請求項３記載の発明によれば、前記柔軟性の幕本体は、防水性および断熱性を有しているので、前記幕本体による雪除け、霜除け、あるいは遮光効果を一層高めることができる。
【図面の簡単な説明】
【図１】ウインド覆い幕を雪除け幕として使用した自動車の斜視図（第１実施例）
【図２】図１の２線矢視図（第１実施例）
【図３】図２の３−３線に沿う断面図（第１実施例）
【図４】雪除け幕の裏面図
【図５】ウインド覆い幕を遮光幕として使用した自動車の斜視図（第２実施例）
【図６】ウインド覆い幕の第１の変形例の裏面図
【図７】ウインド覆い幕の第２の変形例の裏面図
【符号の説明】
１            幕本体
２            取付部材
３            ウインドガラス
４            ウインドモール
８            車体外板
【図１】
2004276709.tif 000003
【図２】
2004276709.tif 000004
【図３】
2004276709.tif 000005
【図４】
2004276709.tif 000006
【図５】
2004276709.tif 000007
【図６】
2004276709.tif 000008
【図７】
2004276709.tif 000009